(57)【要約】【課題】表現可能な光色の範囲を広くすることが可能であるとともに、混色を効果的に行うことができる照明器具を提供する。【解決手段】本発明は、外周部に光入射端面７２を有する導光板７と、基板６２に実装され、前記導光板７の前記光入射端面７２に出射光が入射するように配設された少なくとも赤色、緑色、青色、電球色、白色に発光する発光色の異なる複数の発光素子６１と、前記発光色の異なる複数の発光素子６１の光出力を発光色ごとに制御する制御手段２１とを備える照明器具である。【選択図】図９
2012186070.tif 000002
【特許請求の範囲】
【請求項１】
外周部に光入射端面を有する導光板と；
基板に実装され、前記導光板の前記光入射端面に出射光が入射するように配設された少なくとも赤色、緑色、青色、電球色、白色に発光する発光色の異なる複数の発光素子と；
前記発光色の異なる複数の発光素子の光出力を発光色ごとに制御する制御手段と；
を具備することを特徴とする照明器具。
【請求項２】
前記赤色、緑色、青色に発光する発光素子が配列されている各間には、電球色、白色に発光する発光素子が配置されていることを特徴とする請求項１に記載の照明器具。
【発明の詳細な説明】
【技術分野】
【０００１】
本発明の実施形態は、ＬＥＤ等の発光素子を光源として、照明の光色を変えることができる照明器具に関する。
【背景技術】
【０００２】
近時、ＬＥＤの高出力化、高効率化及び普及化に伴い、光源としてＬＥＤを用いた屋内又は屋外で使用される長寿命化が期待できる照明器具が開発されている。この照明器具は、ＬＥＤを基板に複数実装して所定の光量を得るようにしたもので、例えば、天井面等に直接的に取付けられる、いわゆる直付タイプのベース照明として用いられている。
【０００３】
一方、生活様式の多様化に伴って、これら照明器具に求められる機能としては、単に、周囲を明るく照らすのみではなく、周囲の環境や光が生体に与える影響等を考慮して、使用者の快適性を充足することが望まれている。
【０００４】
このため、発光色の異なる複数のＬＥＤを光源として、この複数の光源の発光強度をそれぞれ調整し、これらの光を混色して色温度を変化させるようにした照明装置が提案されている。この照明装置においては、光源として発光色の異なる青色ＬＥＤ、緑色ＬＥＤ及び電球色ＬＥＤを用いて、これらの発光強度を調整するものである。
【先行技術文献】
【特許文献】
【０００５】
【特許文献１】特開２００９−１１７０８０号公報
【発明の概要】
【発明が解決しようとする課題】
【０００６】
しかしながら、上記のような照明装置においては、表現可能な光色の範囲が狭く、すなわち、表現可能な発光スペクトルが乏しく、発光スペクトルの連続性も劣るという問題がある。
【０００７】
また、光源から出射される光を混色するにあたり、光源から離れた遠距離の照射面では、各光源の配光の広がりにより混色が均一化されやすいが、光源の近くの近距離の照射面や光源面では、混色が均一化されにくく不均一となる現象が発生する。
【０００８】
本発明は、上記課題に鑑みなされたもので、表現可能な光色の範囲を広くすることが可能であるとともに、混色を効果的に行うことができる照明器具を提供することを目的とする。
【課題を解決するための手段】
【０００９】
本発明の実施形態による照明器具は、外周部に光入射端面を有する導光板と、基板に実装され、前記導光板の前記光入射端面に出射光が入射するように配設された少なくとも赤色、緑色、青色、電球色、白色に発光する発光色の異なる複数の発光素子とを備えている。前記発光色の異なる複数の発光素子は、制御手段によってその光出力を発光色ごとに制御される。
【発明の効果】
【００１０】
本発明の実施形態によれば、表現可能な光色の範囲を広くして多様な照明環境の実現が可能であるとともに、混色を効果的に行うことができる照明器具を提供することができる。
【図面の簡単な説明】
【００１１】
【図１】本発明の実施形態に係る照明器具を示す斜視図である。
【図２】同照明器具を分解して示す斜視図である。
【図３】同器具本体を示す断面図である。
【図４】同器具本体を前面側から見て示す平面図である。
【図５】図３中、Ａ部を示す拡大図である。
【図６】同器具本体における導光板と基板の配置関係を示しており、１枚の基板を取り出して示す平面図である。
【図７】同器具本体における発光素子が実装された基板を示す正面図である。
【図８】同器具本体における発光素子が実装された基板を示す上側面図である。
【図９】同ブロック構成図である。
【図１０】同照明器具の天井面への取付状態を示す断面図である。
【発明を実施するための形態】
【００１２】
以下、本発明の実施形態について図１乃至図１０を参照して説明する。各図においてリード線等による配線接続関係は省略して示している。なお、同一部分には同一符号を付し、重複した説明は省略する。
【００１３】
本実施形態の照明器具は、器具取付面に設置された引掛けシーリングボディに取付けられて使用される形式であり、導光板を用いて例えば、室内の照明を行うものである。
【００１４】
図１乃至図４において、照明器具は、器具本体１と、器具取付面としての天井面Ｃに設置された引掛けシーリングボディＣｂに電気的かつ機械的に接続されるアダプタＡ（図２及び併せて図１０参照）と、赤外線リモコン送信器Ｒｃとを備えている。器具本体１は、図１に示すように丸形の円形状の外観に形成され、前面側を発光面、つまり、光の照射面とし、背面側を天井面Ｃへの取付面としている。
【００１５】
図２に代表して示すように、器具本体１は、点灯装置２と、反射板３と、シャーシ４と、アダプタガイド５と、光源部６と、導光板７と、補助部品ユニット８と、本体枠９と、中央カバー部材１０と、上カバー１１と、セード１２とを備えている。これら構成要素について順次説明する。
【００１６】
点灯装置２は、箱状のケース内に回路基板及びこの基板に実装された回路部品を収容して構成されており、アダプタＡを介して商用交流電源に接続されるようになっていて、この交流電源を受けて直流出力を生成するものである。したがって、点灯装置２は、後述する光源部６に電気的に接続されて、その直流出力を発光素子６１に供給し、発光素子６１を点灯制御するようになっている。この点灯装置２は、図３に示すように、反射板３の背面側に位置して取付けられている。また、この点灯装置２には、後述する制御手段２１が接続されている（図９参照）。
【００１７】
反射板３は、放熱部材を兼用しているもので、放熱部材として機能する。反射板３は、熱伝導性を有するアルミニウム等の金属材料から略円形状に形成されており、円形状の浅皿状の凹部３１を有し、この凹部３１の各辺には外側に円形状に延出する取付片３２が形成されている。また、凹部３１の前面側は、反射面として構成されており、さらに、略中央部には、円形状の開口３３が形成されている。
【００１８】
シャーシ４は、冷間圧延鋼板等の金属材料から略円筒状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、シャーシ４は、全体としては高さの低い略筒状をなしている。当接部４１は、導光板７の背面側に当接される部分であり、開口４２は、アダプタＡが挿通される部分である。シャーシ４の当接部４１は、導光板７を補強する機能を有している。
【００１９】
アダプタガイド５は、シャーシ４と同様に略円筒状に形成されていて、中央部にアダプタＡが挿通し、係合する係合口５１が設けられている。このアダプタガイド５は、その外周面がシャーシ４の内周面に接するように配設され取付けられている。
【００２０】
光源部６は、図２乃至図８に示すように、光源である発光素子６１が複数実装された複数の基板６２と、この基板６２が取付けられる取付部材としての取付板６３とから構成されている。なお、図４及び図６においては、取付板６３を省略し、導光板７と基板６２との配置関係を示し、さらに、図６では１枚の基板６２を取り出して示している。
【００２１】
基板６２は、図７及び図８に代表して示すように、横長の長方形状に形成されていて、絶縁材であるガラスエポキシ樹脂の直線状の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２２】
発光素子６１は、ＬＥＤであり、表面実装型のＬＥＤパッケージである。このＬＥＤパッケージが基板６２の長手方向に沿って直線状に並べられて複数個、具体的には２５個実装され配設されている。ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００２３】
ＬＥＤパッケージは、赤色（Ｒ）、緑色（Ｇ）、青色（Ｂ）、電球色（Ｌ）及び白色（昼白色及び白色を含む）（Ｎ）に発光する異なる発光色のものが用いられており、これら各色のＬＥＤパッケージが赤色（Ｒ）、電球色（Ｌ）、緑色（Ｇ）、白色（Ｎ）、青色（Ｂ）の順に基板６２に並べられて実装されている。つまり、赤色（Ｒ）、緑色（Ｇ）、青色（Ｂ）の順に配列された各間に白色系に発光する電球色（Ｌ）及び白色（Ｎ）に発光する発光素子６１が配置されるようになっている。
【００２４】
このように発光効率の良好な電球色（Ｌ）及び白色（Ｎ）のＬＥＤパッケージが、発光効率の低い赤色（Ｒ）、緑色（Ｇ）、青色（Ｂ）のＬＥＤパッケージの間に配置されるため光源として発光の均一性が確保できる。仮に、赤色（Ｒ）、緑色（Ｇ）、青色（Ｂ）、電球色（Ｌ）、白色（Ｎ）の順に並べられると、発光効率の差に起因して、出力が偏り、発光の均一性が低下してしまう可能性が生じる。
【００２５】
因みに、最大視感度は、波長が５５５ｎｍであることが知られており、視感度が高いほど、少ない放射エネルギで明るさを感じさせることができる。このため、波長が５５５ｎｍに近いほど、光束が大きく発光効率を高くすることができる。
【００２６】
したがって、赤色（Ｒ）、青色（Ｂ）は、波長が５５５ｎｍ付近になく、離れているため発光効率が低く、一方、緑色（Ｇ）は、波長が５５５ｎｍ付近にあるが、光への変換効率が低いため発光効率が低く、これら赤色（Ｒ）、緑色（Ｇ）、青色（Ｂ）のＬＥＤパッケージの間に電球色（Ｌ）及び白色（Ｎ）のＬＥＤパッケージを配置することにより、光源として発光の均一性が確保される。
【００２７】
なお、赤色（Ｒ）、緑色（Ｇ）、青色（Ｂ）の配列は、特定されず順不同でよく、例えば、緑色（Ｇ）、赤色（Ｒ）、青色（Ｂ）の順の配列の各間に、電球色（Ｌ）及び白色（Ｎ）を配置するようにしてもよい。つまり、緑色（Ｇ）、電球色（Ｌ）、赤色（Ｒ）、白色（Ｎ）、青色（Ｂ）の順に配列してもよく、また、電球色（Ｌ）、白色（Ｎ）の配列順も適宜変更し得る。要は、発光の均一性を図るため、赤色（Ｒ）、緑色（Ｇ）、青色（Ｂ）（順不同）のＬＥＤパッケージの配列の間に、電球色（Ｌ）、白色（Ｎ）（順不同）のＬＥＤパッケージが介在するように配置されればよい。
【００２８】
本実施形態では、１枚の基板６２に赤色（Ｒ）、電球色（Ｌ）、緑色（Ｇ）、白色（Ｎ）、青色（Ｂ）の順にＬＥＤパッケージが並べられ、これが５組連続して並べられて２５個のＬＥＤパッケージが実装されている。
なお、ＬＥＤとしては、砲弾型のＬＥＤを実装するようにしてもよく、実装方式や形式は、格別限定されるものではない。
【００２９】
取付板６３は、アルミニウムや亜鉛めっき鋼板等の熱伝導が良好な材料から作られており、横長で側面が略Ｃ型チャンネル形状に形成されている。この取付板６３の内側壁には、前記基板６２が、ねじ止め等によって、その裏面側が密着するように取付けられている。したがって、光源部６は、取付板６３に基板６２が取付けられてユニット化されている。
【００３０】
本実施形態では、主として図２、図４及び図６に示すように、このユニット化された光源部６が１２個用いられており、導光板７の各辺に対応して配設されるようになっている。
【００３１】
導光板７は、アクリル樹脂等の透過率の高い材料を用いて多角形状、具体的には、１２角形状の平板状に形成され、背面側は、光を拡散するため、レーザによって微細なＶ溝加工が施されている。さらに、導光板７の略中央部には、アダプタガイド５の外形と対応し、また、アダプタＡと対応するように円形の開口７１が形成されている。この導光板７の外周部である１２角形状の各辺、すなわち、側端面は、発光素子６１から出射される光が入射して導光板７内を進行する光入射端面７２として機能するようになっている。そして、導光板７は、前面側に面状の発光領域を有する発光面として構成される。
【００３２】
なお、導光板７には、背面側に多数の白色の反射ドットからなるドットパターンが印刷によって形成したもの、また、反射シートを設けたものや前面側に拡散シートを設けたものを適宜適用できる。
【００３３】
補助部品ユニット８は、図５に示すように、箱状のケース８１内にユニット基板８２及びこの基板８２に実装された複数の電気的補助部品を備えて構成されている。本実施形態における電気的補助部品は、赤外線リモコン信号受信部８４や照度センサ８５等である。
【００３４】
この補助部品ユニット８は、照明器具、すなわち、器具本体１の外周縁部、具体的には、本体枠９に配設される。したがって、導光板７の発光領域の外側に配設されるようになっている。このように構成された補助部品ユニット８は、複数の電気的補助部品が集中化して設けられていて、本体枠９に形成された開口部に嵌合され、ケースカバー８１ｂのフランジ８１ｂ１が係止されて、図示しない固定手段によって本体枠９に取付けられる。
【００３５】
本体枠９は、図２乃至図５に示すように、ＡＢＳ樹脂やポリカーボネート等の非透光性の合成樹脂から作られていて、略円形状のリング状であって前記導光板７が内周側に配設できるように、導光板７の外周の寸法より大きく形成されている。この本体枠９は、中央部に開口９１を有し、この開口９１から外周方向に延出する底壁９２と、この底壁９２から立設するように形成された側壁９３とから構成されている。換言すれば、底壁９２は、側壁９３の下端部から内側に向かって延出するように形成されている。この底壁９２は、後述するように、導光板７の外周部を覆うカバー手段として機能するようになっている。
【００３６】
底壁９２から立設するように形成された側壁９３は、外周側が円形状であり、内周側が１０角形状に形成されていて、この１０角形状の内周側には、各辺に沿って光源部６が配設され、さらに、光源部６に沿って導光板７の各辺、すなわち、光入射端面７２が対応して配置されるようになっている。
【００３７】
ここで、図４に代表して示すように、本体枠９の開口９１は、導光板７の外周部、つまり、光入射端面７２より内側に位置して形成されている。そのため、底壁９２によって導光板７の外周部及び発光素子６を含めた光源部６が覆われ、導光板７に開口９１によって円形状の発光面が形成される。
したがって、カバー手段としての底壁９２によって導光板７の外周部が覆われ、開口９１によって円形状の発光面が形成されることとなる。
【００３８】
本体枠９における底壁９２の一部には切欠き部が形成されており、この切欠き部には、補助部品ユニット８が配設され、また、前述のように、補助部品ユニット８が嵌合する開口部が形成されている。
【００３９】
中央カバー部材１０は、アクリル樹脂やポリカーボネート等の乳白色を呈する合成樹脂材料から略円盤状に形成されており、図示しない係脱手段によってアダプタガイド５に着脱自在に取付けられるようになっている。
【００４０】
なお、中央カバー部材１０は、その中央部に短円筒状の突出部１０ａを有していて、中央カバー部材１０が取付けられた状態では、突出部１０ａの外周端面と導光板７の円形の開口７１の内周端面とが対応して位置するようになっている。
【００４１】
上カバー１１は、リング状に形成され、外周に傾斜面を有して、本体枠９に対応してその上部側に配設されている。また、セード１２は、アクリル等の透光性で拡散性有する材料で形成されて導光板７の前面側を覆うように本体枠９の外周に取付けられている。セード１２は、浅皿状であり、その外周側には、赤外線リモコン信号受信部８４や照度センサ８５が露出する孔１２ａが形成されている。
【００４２】
アダプタＡは、図２及び図１０に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００４３】
赤外線リモコン送信器Ｒｃは、例えば、周波数３８ｋＨｚのパルス状の特定のコード化された赤外線リモコン制御信号を送信するもので、タッチパネル方式であり、タップ、ドラッグやフリック操作が行え、フェーダ機能を有している。点灯操作、消灯操作、モード設定操作、モード選択操作等が可能で、光源の発光色を多様的に変更操作できるようになっている。
【００４４】
このリモコン送信器Ｒｃを補助部品ユニット８、すなわち、赤外線リモコン信号受信部８４に向けて操作することによって光源部６における発光素子６１の発光状態を制御することができる。
【００４５】
上記のような照明器具の構成において、導光板７の光入射端面７２は、発光素子６１と対向して位置し、発光素子６１から出射される光が入射するようになっている。
【００４６】
また、図８に示すように、カバー手段としての底壁９２によって導光板７の外周部及び光源部６が覆われ、開口９１によって円形状の発光面が導光板７に形成されるようになる。したがって、多角形状の導光板７を用いて、その直線状の各辺に沿って光源部６、すなわち、直線状の基板６２を配設できるので、基板６２を配設しやすく、コスト的に有利の下、円形状の発光面を実現でき、丸形の器具本体１を構成することが可能となる。
【００４７】
次に、図９を参照して本実施形態に係る照明器具のブロック構成について説明する。図に示すように、商用交流電源ＡＣに接続された点灯装置２と、この点灯装置２に接続された光源部６と、制御手段２１とから構成されている。
【００４８】
点灯装置２は、直流電源として機能するもので、商用交流電源ＡＣを受けて直流出力を生成する。光源部６は、前記したように１２枚の基板６２及びこの基板６２に実装されて接続され、赤色（Ｒ）、電球色（Ｌ）、緑色（Ｇ）、白色（Ｎ）、青色（Ｂ）の順に並べられた５色の発光色の異なる発光素子６１を備えている。
【００４９】
制御手段２１は、設定情報入出力部２２と、この設定情報入出力部２２に接続された調光制御手段２３及び記憶部２４とを備えており、設定情報入出力部２２には、赤外線リモコン信号受信部８４が接続されている。
【００５０】
調光制御手段２３には、ＰＷＭ制御回路２５及びこのＰＷＭ制御回路２５に接続されたスイッチング制御回路２６が設けられている。このＰＷＭ制御回路２５及びスイッチング制御回路２６は、前記赤色（Ｒ）、電球色（Ｌ）、緑色（Ｇ）、白色（Ｎ）、青色（Ｂ）の５色の発光色の発光素子６１にそれぞれ対応して５個設けられている。これにより、発光色ごとの調光制御が可能となっており、調光比を調整して発光色ごとの光量を可変し、赤色（Ｒ）、電球色（Ｌ）、緑色（Ｇ）、白色（Ｎ）、青色（Ｂ）の発光色を混色して所望の発光色を表現することができる。
【００５１】
このような構成において、使用者の快適性を充足するため、光色が異なる多様な照明光を実現できる。例えば、「おめざめ」「肌きれい」「あざやか」「リラックス」「常夜灯」「おこのみ」等のシーンに適したモードを設定できるようになっている。一例としては、「おめざめ」の場合は、覚醒度を高める青色光を多く含有する相関色温度１２０００Ｋに発光制御する、「リラックス」の場合は、やすらぎやくつろぎの空間を演出するためリラックス効果の高い青緑色光を再現するように発光制御する等である。
【００５２】
このモード設定にあたっては、赤外線リモコン送信器Ｒｃを操作して、赤色（Ｒ）、電球色（Ｌ）、緑色（Ｇ）、白色（Ｎ）、青色（Ｂ）の光量をそれぞれ可変調整し、その情報を記憶部２４に格納する。具体的には、赤外線リモコン送信器Ｒｃを操作して、その操作信号（モード設定情報）を赤外線リモコン信号受信部８４に送信する。赤外線リモコン信号受信部８４で受信された信号は、設定情報入出力部２２で処理され記憶部２４に記憶保持される。
【００５３】
次に、設定したモードを再現する場合には、赤外線リモコン送信器Ｒｃを操作して、特定のモードを選択する。このモード選択信号が赤外線リモコン信号受信部８４で受信されると、その信号が設定情報入出力部２２に送信される。設定情報入出力部２２では、記憶部２４から選択されたモード設定情報を読み出し、これを調光制御手段２３に送信する。
【００５４】
調光制御手段２３におけるＰＷＭ制御回路２５では、モード設定情報に基づいてＰＷＭ制御信号を生成してスイッチング制御回路２６へ送出する。スイッチング制御回路２６では、点灯装置２からの直流出力をＰＷＭ制御信号に基づいてＰＷＭ制御し、光源部６、すなわち、赤色（Ｒ）、電球色（Ｌ）、緑色（Ｇ）、白色（Ｎ）、青色（Ｂ）の各色の発光素子６１に供給する。これによって、モード設定情報に従った調光比で各色の発光素子６１が発光色ごとに制御されて発光し、全体として混色した発光色が表現されるようになる。
【００５５】
また、「おこのみ」モードの場合には、赤色（Ｒ）、電球色（Ｌ）、緑色（Ｇ）、白色（Ｎ）、青色（Ｂ）の各色の光量を適宜調整して所望の発光色を表現することができる。
【００５６】
なお、本実施形態のおいては、光源部６全体としての制御及び基板６１単位での制御が可能になっている。したがって、一部の基板６１に実装された発光素子６２を制御するような部分点灯ができる。
【００５７】
さらに、前述においては、モード設定にあたって、赤外線リモコン送信器Ｒｃを操作して設定を行う場合について説明したが、例えば、ネットワークを介して接続可能な携帯通信端末機能を有する端末を用いて、情報サーバからモード設定情報、つまり、照明制御プログラムをダウンロードして、これを設定情報入出力部２２を介して記憶部２４に格納するようにしてもよい。
【００５８】
具体的には、使用者が端末を用いて情報サーバにアクセスし、シーンに適した照明制御プログラムを検索してダウンロードし、このプログラムを制御手段２１に送信し、記憶部２４に格納する。したがって、モードを再現する場合には、ダウンロードした照明制御プログラムに従って発光色が制御され表現されるようになる。
【００５９】
また、情報サーバには、既存の音楽作品や映画作品等のイメージに合わせた照明制御プログラムが格納されており、使用者は、それらの作品の鑑賞に適した照明制御プログラムをダウンロードすることもできる。この作品に適した照明制御プログラムには、インターネットサイトからの検索やＣＤ等に付された例えば、ＱＲコード等の情報を読み取ることでアクセスできる。
このようなモードの設定の方法によれば、照明の専門的知識を有しない使用者であっても容易に適切な照明環境を実現できる。
【００６０】
次に、照明器具の天井面Ｃへの取付状態について、図１０を参照して説明する。なお、各図においてアダプタＡから導出される電源コードの図示は省略している。
【００６１】
図１０に示すように、天井面Ｃに引掛けシーリングボディＣｂが設置されている。また、この引掛けシーリングボディＣｂには、アダプタＡが電気的かつ機械的に接続されている。器具本体１の取付状態では、アダプタＡがシャーシ４の開口４２を挿通し、アダプタＡの係止部Ａ1がアダプタガイド５の係合口５１に係止されて取付状態が保持される。
【００６２】
また、器具本体１を取外す場合には、セード１２、中央カバー部材１０を取外し、アダプタＡに設けられているレバーを操作してアダプタＡの係止部Ａ1の係合を解くことにより取外すことができる。
【００６３】
照明器具の取付け状態において、点灯装置２に電力が供給されると、基板６２を介して発光素子６１に通電され、設定された調光比で各色の発光素子６１が点灯する。発光素子６１から出射された光は、導光板７の光入射端面７２へ入射し、この入射した光は、導光板７内で全反射して導光板７全体に広がるとともに、効果的に混色されて背面側に形成された微細なＶ溝によって拡散反射されて均質化された光が前面側の発光領域から放射される。ここで、発光領域は、本体枠９の円形状の開口９１によって円形状の発光面が形成される。加えて、導光板７から漏れた一部の光は、反射板３によって反射され前面側に放射されて再利用されるようになる。
【００６４】
さらに、導光板７の円形の開口７１の内周端面から外方に出射される光は、中央カバー部材１０の突出部１０ａの外周端面に入射する。したがって、これにより中央カバー部材１０を明るく光らせることができる。
【００６５】
そして、これら導光板７、中央カバー部材１０から放射される光は、透光性のセード１２を透過して拡散され、所定の範囲に照射される。また、赤外線リモコン送信器Ｒｃを赤外線リモコン信号受信部８４に向けて操作することによって光源部６における発光素子６１の発光状態の制御を行うことができる。
【００６６】
発光素子６１の点灯中は熱が発生する。各発光素子６１から発生する熱は、基板６２裏面側から取付板６３に伝導され、さらに、取付板６３に伝導された熱は、放熱部材としての反射板３における取付片３２に伝導され、反射板３の広い面積で効果的に放熱される。
【００６７】
以上のように本実施形態によれば、赤色（Ｒ）、電球色（Ｌ）、緑色（Ｇ）、白色（Ｎ）、青色（Ｂ）の各色の発光素子６１を用い、しかも、この発光素子６１の光出力を発光色ごとに制御することができるようにしたので、表現可能な光色の範囲を広くしてバリエーションに富む多様な照明環境の実現が可能となる。
また、発光色の異なる複数の発光素子６１からの出射光を導光板を用いて混色されるようにしたので混色を効果的に行うことができる。
【００６８】
なお、本発明は、上記実施形態の構成に限定されることなく、発明の要旨を逸脱しない範囲で種々の変形が可能である。例えば、発光素子は、ＬＥＤや有機ＥＬ等の固体発光素子が適用できる。さらに、発光素子の個数は、特段限定されるものではない。
【符号の説明】
【００６９】
１・・・器具本体、２・・・点灯装置、３・・・反射板、５・・・アダプタガイド、
４・・・シャーシ、６・・・光源部、７・・・導光板、８・・・補助部品ユニット、
９・・・本体枠、１０・・・中央カバー部材、１１・・・上カバー、
１２・・・セード、２１・・・制御手段、２２・・・設定情報入出力部、
２３・・・調光制御手段、２４・・・記憶部、２５・・・ＰＷＭ制御回路、
２６・・・スイッチング制御回路、６１・・・発光素子、６２・・・基板、
７２・・・光入射端面、８４・・・リモコン信号受信部、９１・・・開口、
９２・・・カバー手段（本体枠の底壁）、Ｒ・・・赤色発光素子、
Ｌ・・・電球色発光素子、Ｇ・・・緑色発光素子、Ｎ・・・白色発光素子、
Ｂ・・・青色発光素子、Ｒｃ・・・赤外線リモコン送信器
【図１】
2012186070.tif 000003
【図２】
2012186070.tif 000004
【図３】
2012186070.tif 000005
【図４】
2012186070.tif 000006
【図５】
2012186070.tif 000007
【図６】
2012186070.tif 000008
【図７】
2012186070.tif 000009
【図８】
2012186070.tif 000010
【図９】
2012186070.tif 000011
【図１０】
2012186070.tif 000012